(57)【要約】【課題】下枠、上枠および左右の縦枠に分割した枠から展望窓の窓枠を構成する場合でも、枠の継ぎ目に隙間が生じないように簡便に窓枠を取り付けられるようにする。【解決手段】本発明の実施形態による展望用エレベータの展望窓は、展望窓の窓枠が、前記開口部を囲む側板２ａ、２ｂに取り付けられる一対の第１枠３ａ、３ｂと、側板２ｃ、２ｄに取り付けられ第１枠３ａ、３ｂの両端面がそれぞれ当接しコ字形断面を有する一対の第２枠３ｃ、３ｄと、からなり、少なくとも第２枠の一方３ｃ、３ｄは、側板２ｃ、２ｄに対して第１枠３ａ、３ｂの長手方向に変位可能に取り付けられ、第２枠３ｃ、３ｄの位置を調整する調整手段を備えている。【選択図】図１
2016101999.tif 000002
【特許請求の範囲】
【請求項１】
乗りかごの側面に窓用の開口部を設け、前記開口部に設置される展望用エレベータの展望窓において、
前記展望窓の窓枠が、前記開口部を囲む側板に取り付けられる一対の第１枠と、前記側板に取り付けられ前記第１枠の両端面がそれぞれ当接しコ字形断面を有する一対の第２枠と、からなり、少なくとも前記第２枠の一方は、前記側板に対して前記第１枠の長手方向に変位可能に取り付けられ、当該第２枠の位置を調整する調整手段を備えることを特徴とする展望用エレベータの展望窓。
【請求項２】
前記調整手段は、前記第２枠の内側に固着されたナットと、前記ナットに螺合し前記側板に固定されたブラケットに先端が当接する調整ボルトと、からなることを特徴とする請求項１に記載の展望用エレベータの展望窓。
【請求項３】
前記調整手段は、前記第２枠の変位方向に長い長穴を有し前記側板にスライド可能な、前記第２枠を支持するブラケットと、前記側板に固着され前記長穴に挿通されるスタッドボルトと、前記スタッドボルトに螺合し前記ブラケットを固定するナットと、からなることを特徴とする請求項１に記載の展望用エレベータの展望窓。
【請求項４】
前記調整手段は、前記第２枠に先端が固着されたスタッドボルトと、前記側板に固定されたブラケットに設けられ前記スタッドボルトに螺合するナットと、からなることを特徴とする請求項１に記載の展望用エレベータの展望窓。
【請求項５】
前記調整手段は、前記第２枠の内側に固定され、前記側板に前記第２枠を係合させる弾性力を発生する板ばねからなることを特徴とする請求項１に記載の展望用エレベータの展望窓。
【請求項６】
前記第２枠の内側に固定され、前記側板に前記第２枠を係合させる弾性力を発生する板ばねをさらに備えたことを特徴とする請求項２乃至４のいずれかの項に記載の展望用エレベータの展望窓。
【発明の詳細な説明】
【技術分野】
【０００１】
本発明の実施形態は、展望用エレベータの展望窓に関する。
【背景技術】
【０００２】
展望用エレベータでは、建物の外壁面に沿わせてガラスで囲った昇降路が設けられ、乗りかごには展望窓が設けられている。乗客は、乗りかごに乗っている間、展望窓から外の眺望を楽しむことができる。  
この種の展望用エレベータの乗りかごでは、外から見える外観の意匠性を高めるために、乗りかごには外装パネルが取り付けられている。この外装パネルにイルミネーションを設けるなどして、エクステリアとして、建築物の個性を引き立たせることもできる。
【０００３】
展望用エレベータでは、展望窓の窓枠には、下枠、上枠および左右の縦枠を四方組した枠が用いられている。展望窓についての従来技術としては、例えば、特許文献１に記載されているものがある。
【先行技術文献】
【特許文献】
【０００４】
【特許文献１】実開平５−７５２６７号公報
【発明の概要】
【発明が解決しようとする課題】
【０００５】
展望用エレベータの乗りかごに窓枠を取り付ける場合、窓枠の構成部材の寸法公差や施工誤差に起因して、縦枠の上下端と下枠または上枠の間の継ぎ目に隙間が不可避的に発生することが多い。  
一般に、展望エレベータのかご室は、高級感のある意匠性が要求される。しかも、乗客の注意は展望窓に向くので、窓枠にわずかの隙間があっても目立ち易く、かご室インテリアの高級感のある意匠性を減殺してしまうという問題がある。
【０００６】
従来の展望窓では、窓枠の継ぎ目に隙間を無くすために、枠を溶接で接合した一体構造の窓枠が採用されることもある。  
しかし、一体構造の窓枠は、展望エレベータの場合、大型の窓枠が多く意匠性を害しないような溶接に手間がかかるという問題がある。
【０００７】
そこで、本発明は、前記従来技術の有する問題点に鑑みなされたものであって、下枠、上枠および左右の縦枠に分割した枠から窓枠を構成する場合でも、枠の継ぎ目に隙間が生じないように簡便に窓枠を取り付けられるようにして、意匠性を高めることができるようにした展望用エレベータの展望窓を提供することを目的としている。
【課題を解決するための手段】
【０００８】
前記の目的を達成するために、本発明は、乗りかごの側面に窓用の開口部を設け、前記開口部に設置される展望用エレベータの展望窓において、前記展望窓の窓枠が、前記開口部を囲む側板に取り付けられる一対の第１枠と、前記側板に取り付けられ前記第１枠の両端面がそれぞれ当接しコ字形断面を有する一対の第２枠と、からなり、少なくとも前記第２枠の一方は、前記側板に対して前記第１枠の長手方向に変位可能に取り付けられ、当該第２枠の位置を調整する調整手段を備えることを特徴とするものである。
【図面の簡単な説明】
【０００９】
【図１】本発明の実施形態による展望用エレベータのかご室内から見た展望窓を示す正面図である。
【図２】本発明の第１実施形態による展望用エレベータの展望窓を示す図１のＡ−Ａ矢視断面図である。
【図３】本発明の第２実施形態による展望用エレベータの展望窓を示す図１のＡ−Ａ矢視断面図である。
【図４】図３のＢ矢視図である。
【図５】本発明の第３実施形態による展望用エレベータの展望窓を示す図１のＡ−Ａ矢視断面図である。
【図６】本発明の第４実施形態による展望用エレベータの展望窓を示す図１のＡ−Ａ矢視断面図である。
【図７】図６の第４実施形態の変形例を示す窓枠断面図である。
【発明を実施するための最良の形態】
【００１０】
以下、本発明による展望用エレベータの展望窓の一実施形態について、添付の図面を参照しながら説明する。  
（第１実施形態）  
図１は、本発明の実施形態による展望エレベータのかご室内から展望窓をみた図である。この図１において、参照番号１０は、乗りかごのかご室を示す。参照番号１は、展望窓の窓ガラス１を示している。かご室の床から鉛直に立ち上がっている縦側板２ａ、２ｂと、水平な横側板２ｃ、２ｄによって展望窓を設置する開口部が構成されている。この開口部には、左右の縦枠（第１枠）３ａ、３ｂと上枠（第２枠）３ｃ、下枠（第２枠）３ｄが取り付けられており、これらの枠部材から窓枠が構成されている。
【００１１】
縦枠３ａ、３ｂと上枠３ｃ、下枠３ｄとを四方組みして窓枠を取り付ける場合、縦枠３ａ、３ｂの上端または下端と、上枠３ｃ、下枠３ｄとが突き当たるコーナ部Ｕ、Ｖ、Ｗ、Ｘには、継ぎ目に隙間が生じることが多い。これは、縦枠３ａ、３ｂの長さ寸法には公差が存在しているからである。このようなコーナ部Ｕ、Ｖ、Ｗ、Ｘに隙間が生じるのを防止するため、本実施形態の展望窓では、次のような位置調整手段が少なくとも下枠３ｄに設けられている。
【００１２】
ここで、図２は、図１における下枠３ｄと縦枠３ａとが突き当たるコーナ部ＶでのＡ−Ａ矢視断面を示す図である。  
かご室内側に面している横側板２ｄには、ブラケット７が固定されている。かご室外側には、イルミネーションなどで装飾される外装パネル４が設けられており、この外装パネル４には、ブラケット８が固定されている。そして、ブラケット７とブラケット８とは一体に接合されている。なお、ブラケット７の上面には、スペーサ６を介して窓ガラス１が取り付けられている。
【００１３】
外装パネル４の上縁部４ａはコ字形に屈曲した形状を有している。この外装パネル４の上縁部４ａとほぼ同じ高さの位置に、下枠３ｄが横側板２ｄの上縁に上下に変位可能に設けられている。下枠３ｄは、次に説明する調整ボルトを用いて変位可能とするために、上面と両側面とを有する横断面がコ字形の型材が用いられている。
【００１４】
図２において、参照番号１１は、下枠３ｄの位置を調整する調整ボルトを示している。  この下枠３ｄの上面には、ロックナット１２が配置され、上面の裏側には、ナット１３が溶接等によって固定されている。調整ボルト１１は、ロックナット１２およびナット１３に螺合し、この調整ボルト１１の先端は、横側板２ｄに固着されているブラケット１４に当接するようになっている。下枠３ｄは、調整ボルト１１によってブラケット１４上で支持されながら、横側板２ｄおよびブラケット１４に対して上下に変位可能に遊嵌するようになっている。
【００１５】
調整ボルト１１をナット１３に締め込む方向に回していくと、調整ボルト１１の先端はボルト受部材１４に当たり、さらに回していくと、図２において、下枠３ｄは押し上げられて上方向に変位する。調整ボルト１１を逆方向に回していくと、下枠３ｄは下方向に変位する。したがって、この実施形態では、調整ボルト１１と、ロックナット１２およびナット１３は、下枠３ｄの位置を調整する手段を構成するようになっている。
【００１６】
なお、調整ボルト１１を用いた位置調整手段は、図１において、下枠３ｄと縦枠３ｂとが突き当たるコーナ部Ｘにも同様のものが設けられている。
【００１７】
本実施形態による展望用エレベータの展望窓は以上のように構成されるものであり、次に、展望窓の窓枠取り付け作業との関連において、その作用および効果について説明する。
【００１８】
図１において、展望窓の窓枠を構成している縦枠３ａ、３ｂと上枠３ｃ、下枠３ｄのうち、まず上枠３ｃが横側板２ｃに仮付けで固定される。  
その後、下枠３ｄは、次のように位置調整を行いながら取り付けられる。
【００１９】
図２において、調整ボルト１１を回しながら、下枠３ｄの上下の位置を調整する。この場合、図１において、縦枠３ａ、３ｂの正確な長さは既に分かっているものとする。上枠３ｃと下枠３ｄの間に縦枠３ａ、３ｂを組み入れた場合に、コーナ部Ｕにおいて縦枠３ａの上端と上枠３ｃの左端部の継ぎ目、およびコーナ部Ｖにおいて縦枠３ａの下端と下枠３ｄの左端部の継ぎ目に隙間を生じさせないために、上枠３ｃと下枠３ｄの間の距離が縦枠３ａ、３ｂの長さと正確に一致するように下枠３ｄの位置を微調整する。同様の調整は、コーナ部Ｘについても行う。
【００２０】
こうして、下枠３ｄの位置が決まったら、図２において、ロックナット１２を締め付け、調整ボルト１１が緩まないようにする。しかる後、下枠３ｄを皿ねじや化粧ビスなどの締結要素を用いて横側板２ｄに固定する。同様に上枠３ｃについても横側板２ｃに固定する。
【００２１】
最後に、縦枠３ａ、３ｂをそれぞれ縦側板２ａ、２ｂに取り付けることで、コーナ部Ｕ、Ｖ、Ｗ、Ｘの継ぎ目に隙間無く窓枠を設置することができ、展望用エレベータのかご室として要求される高級感ある意匠性実現に寄与することができる。
【００２２】
なお、以上の実施形態では、下枠３ｄのコーナ部Ｖ、Ｘの２箇所にそれぞれ調整ボルト１１を利用した位置調整手段を設けているが、同様の位置調整手段は、下枠３ｄではなく上枠３ｃのコーナ部Ｕ、Ｗも設けるようにしてもよい。また、下枠３ｄと上枠３ｃの両方に設けるようにしてもよい。
【００２３】
（第２実施形態）  
次に、本発明に係る展望窓の第２実施形態について、図１並びに図３、図４を参照して説明する。なお、図３、図４において、第１実施形態の図２と同一の参照番号は、同一の構成要素を示し、その詳細な説明は省略する。  
この第２実施形態は、第１実施形態と同様に、ボルト・ナットを利用して下枠３ｄの位置を調整する手段を構成した実施形態である。
【００２４】
図３は、第２実施形態による展望窓において図１のコーナ部ＶでのＡ−Ａ矢視断面を示す。この第２実施形態では、下枠３ｄは、横側板２ｄに沿って上下に変位可能な断面Ｌ字形のブラケット２１に固定されており、このブラケット２１と一体で上下に変位可能に構成されている。
【００２５】
図４に示されるように、ブラケット２１には、上下方向に長い長穴２５が切り欠かれている。横側板２ｄには、スタッドボルト２２が固着されている。ブラケット２１は、長穴２５の幅よりも大きな径の平座金２４を介して、スタッドボルト２２、ナット２３によって横側板２ｄに締結されている。ナット２３を緩めている状態では、ブラケット２１を上下にスライドさせて動かすことが可能であり、これにより下枠３ｄの上下方向の位置を調整することができるようになっている。
【００２６】
なお、スタッドボルト２２を用いた位置調整手段は、図１において、下枠３ｄと縦枠３ｂとが突き当たるコーナ部Ｘにも同様のものが設けられている。
【００２７】
次に、第３実施形態における展望窓の窓枠取り付け手順について説明する。  
図１において、まず上枠３ｃを横側板２ｃに仮付けにより固定し、下枠３ｄを次のように位置調整を行いながら横側板２ｄに取り付ける。
【００２８】
図３において、ナット２３を緩めた状態にしておくと、下枠３ｄを手で上下に動かしながら、下枠３ｄの位置を調整することができる。このような調整を図１におけるコーナ部Ｖ、Ｘで行う。
【００２９】
下枠３ｄと上枠３ｃの間の距離が縦枠３ａの長さと正確に同じになるように、下枠３ｄの位置が調整されたら、ナット２３を締め付けることで、下枠３ｄを位置決めすることができる。その後、下枠３ｄを皿ねじや化粧ビスなどの締結要素を用いて横側板２ｄに固定し、上枠３ｃを横側板２ｃに固定する。
【００３０】
最後に、縦枠３ａ、３ｂをそれぞれ縦側板２ａ、２ｂに取り付けても、下枠３ｄの位置は隙間の生じないように調整されているので、第１実施形態と同様に、コーナ部Ｕ、Ｖ、Ｗ、Ｘの継ぎ目に隙間無く窓枠を設置することができ、展望用エレベータのかご室として要求される高級感ある意匠性実現に寄与することができる。
【００３１】
なお、以上の説明では、後から縦枠３ａ、３ｂを取り付ける順序で説明したが、本実施形態の場合、スタッドボルト２２は縦枠３ａ、３ｂと干渉しない位置に配置されているので、上枠３ｃとともに縦枠３ａ、３ｂを先に取り付けつけてから、最後に下枠３ｄを位置調整しながら取り付けるようにしてもよい。
【００３２】
また、以上の実施形態では、下枠３ｄのコーナ部Ｖ、Ｘの２箇所にそれぞれスタッドボルト２２を利用した位置調整手段を設けているが、同様の位置調整手段は、下枠３ｄではなく上枠３ｃのコーナ部Ｕ、Ｗも設けるようにしてもよい。また、下枠３ｄと上枠３ｃの両方に設けるようにしてもよい。
【００３３】
（第３実施形態）  
次に、本発明に係る展望窓の第３実施形態について、図１、図５を参照して説明する。なお、図５において、第１実施形態の図２と同一の参照番号は、同一の構成要素を示し、その詳細な説明は省略する。  
この第３実施形態も、第１実施形態と同様に、ボルト・ナットを利用して下枠３ｄの位置を調整する手段を構成した実施形態である。
【００３４】
この第３実施形態では、横側板２ｄに固定されているブラケット１４の上には、位置調整用スタッドボルト３１が螺合しているナットとして、下から順に長ナット３２とロックナット３３が設けられている。
【００３５】
位置調整用スタッドボルト３１の上端は、下枠３ｄの内側面に固着されており、回転が拘束されているので、長ナット３２を回すと、位置調整用スタッドボルト３１を軸方向に移動させることができるので、下枠３ｄの位置を上下方向に調整することができるようになっている。
【００３６】
なお、位置調整用スタッドボルト３１を用いた位置調整手段は、図１において、下枠３ｄと縦枠３ｂとが突き当たるコーナ部Ｘにも同様のものが設けられている。
【００３７】
次に、第３実施形態における展望窓の窓枠取り付け手順について説明する。  
図１において、まず上枠３ｃを横側板２ｃに仮付け固定し、下枠３ｄを次のように位置調整を行いながら横側板２ｄに取り付ける。
【００３８】
すなわち、図５において、長ナット３２を回しながら位置調整用スタッドボルト３１を上下に変位させ、下枠３ｄの上下に動かす。このような調整を図１におけるコーナ部Ｖ、Ｘで行う。
【００３９】
下枠３ｄと上枠３ｃの間の距離が縦枠３ａの長さと正確に同じになるように、下枠３ｄの位置が調整されたら、ロックナット３３を締め付け長ナット３２の緩みをなくし、下枠３ｄの位置を固定する。その後、下枠３ｄを皿ねじや化粧ビスなどの締結要素を用いて横側板２ｄに固定する。上枠３ｃについても同様に横側板２ｃに固定する。
【００４０】
最後に、縦枠３ａ、３ｃをそれぞれ縦側板２ａ、２ｃに取り付けても、下枠３ｄの位置は隙間の生じないように調整されているので、第１実施形態と同様に、コーナ部Ｕ、Ｖ、Ｗ、Ｘの継ぎ目に隙間無く窓枠を設置することができ、展望用エレベータのかご室として要求される高級感ある意匠性実現に寄与することができる。
【００４１】
なお、以上の説明では、後から縦枠３ａ、３ｂを取り付ける順序で説明したが、本実施形態の場合、スタッドボルト３１は縦枠３ａ、３ｂと干渉しない位置に配置されているので、上枠３ｃとともに縦枠３ａ、３ｂを先に取り付けつけてから、最後に下枠３ｄを位置調整しながら取り付けるようにしてもよい。
【００４２】
また、以上の実施形態では、下枠３ｄのコーナ部Ｖ、Ｘの２箇所にそれぞれスタッドボルト３１を利用した位置調整手段を設けているが、同様の位置調整手段は、下枠３ｄではなく上枠３ｃのコーナ部Ｕ、Ｗも設けるようにしてもよい。また、下枠３ｄと上枠３ｃの両方に設けるようにしてもよい。
【００４３】
（第４実施形態）  
次に、本発明に係る展望窓の第４実施形態について、図１、図６を参照して説明する。なお、図６において、第１実施形態の図２と同一の参照番号は、同一の構成要素を示し、その詳細な説明は省略する。  
この第４実施形態は、上枠３ｃまたは下枠３ｄの位置を調整する手段にボルト・ナット機構を利用した第１実施形態乃至第３実施形態とは異なり、板ばねを利用した実施の形態である。
【００４４】
この第４実施形態では、上枠３ｃの内側において少なくとも２箇所に、図６に示すような一対の板ばね４０Ａ、４０Ｂが設けられている。
【００４５】
上枠３ｃは、下枠３ｄと同様にコ字形断面の枠によって構成されており、横側板２ｃに遊嵌するようになっている。板ばね４０Ａ、４０Ｂは、それぞれ一端部がボルト４１とナット４２によって、上枠３ｃの底部に固定されている。横側板２ｃの端面には、穴４４が形成されており、この穴４４から一対の板ばね４０Ａ、４０Ｂが差し込まれるようになっている。
【００４６】
この実施形態では、板ばね４０Ａ、４０Ｂの先端部には、山と谷をなるように折れ曲がった係止部４３Ａ、４３Ｂが形成されている。板ばね４０Ａ、４０Ｂは開いた状態から、図６に示すように、穴４４から横側板２ｃに押し込まれることで閉じた状態になる。このとき、板ばね４０Ａ、４０Ｂは、弾性力によって係止部４３Ａ、４３Ｂを横側板２ｃの側面に押し付けるので、上枠３ｃは、横側板２ｃから脱落せずに、上下方向の位置を調整可能に係止するようになっている。
【００４７】
次に、第４実施形態における展望窓の窓枠取り付け手順について説明する。  
図１において、上枠３ｃ、下枠３ｄのうち、まず下枠３ｄを横側板２ｄに取り付けておく。次に、図６において、横側板２ｃの穴４４から板ばね４０Ａ、４０Ｂを差し込むようにして、上側の上枠３ｃを横側板２ｃに取り付ける。
【００４８】
このとき、板ばね４０Ａ、４０Ｂの弾性力によってその係止部４３Ａ、４３Ｂが横側板２ｃの側面に押し付けられるので、横側板２ｃに上枠３ｃを保持させた状態で上下に少しずつ動かしながら位置調整を行うことができる。
【００４９】
下枠３ｄと上枠３ｃの間の距離が縦枠３ａ、３ｂの長さと正確に同じになるように、上枠３ｃの位置が調整されたら、上枠３ｃを皿ねじや化粧ビスなどの締結要素を用いて横側板２ｃに固定する。
【００５０】
最後に、縦枠３ａ、３ｃをそれぞれ縦側板２ａ、２ｃに取り付けることになるが、上枠３ｃの位置は隙間の生じないように調整されているので、第１実施形態と同様に、コーナ部Ｕ、Ｖ、Ｗ、Ｘの継ぎ目に隙間無く窓枠を設置することができ、展望用エレベータのかご室として要求される高級感ある意匠性実現に寄与することができる。
【００５１】
以上のような第４実施形態は、上枠３ｃ、下枠３ｄの位置調整にボルト・ナットを利用した第１実施形態乃至第３実施形態のいずれかの実施形態と、組み合わせるようにしてよい。
【００５２】
その場合、図１のコーナ部Ｖ、Ｘの２箇所に図２に示した調整ボルト１１と、ロックナット１２およびナット１３からなる位置調整手段が下枠３ｄに設けられるとともに、図７に示すような板ばね４０Ａ、４０Ｂが少なくとも２箇所に設けられる。上枠３ｃについても同様の構造になっていることが好ましい。
【００５３】
このような第４実施形態の変形例によれば、調整ボルト１１を回しながら下枠３ｄの位置を調整している間、板ばね４０Ａ、４０Ｂによって上枠３ｄ、下枠３ｄはその位置を保持されるので、縦枠３ａ、３ｂを取り付け易くなり、作業性をより向上させることができる。
【００５４】
以上、本発明に係る展望用エレベータの展望用窓について、好適な実施形態を挙げて説明したが、本発明は、上枠３ｃ、下枠３ｄの両端が縦枠３ａ、３ｂに突き当たる形の窓枠にも同様に適用することができる。その場合、縦枠３ａまたは縦枠３ｂに水平方向の位置を調整する手段が同様の構成で設けられる。
【００５５】
また、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００５６】
１…窓ガラス、２ａ、２ｂ…縦側板、２ｃ、２ｄ…横側板、３ａ、３ｂ…縦枠、３ｃ…上枠、３ｄ…下枠、４…外装パネル、７…ブラケット、８…ブラケット、６…スペーサ、１０…かご室、１１…調整ボルト、１２…ロックナット、１３…ナット、１４…ブラケット、２１…ブラケット、２５…長穴、３１…スタッドボルト、３２…長ナット、４０Ａ、４０Ｂ…板ばね
【図１】
2016101999.tif 000003
【図２】
2016101999.tif 000004
【図３】
2016101999.tif 000005
【図４】
2016101999.tif 000006
【図５】
2016101999.tif 000007
【図６】
2016101999.tif 000008
【図７】
2016101999.tif 000009
【手続補正書】
【提出日】平成27年9月29日(2015.9.29)
【手続補正１】
【補正対象書類名】明細書
【補正対象項目名】０００８
【補正方法】変更
【補正の内容】
【０００８】
前記の目的を達成するために、本発明は、乗りかごの側面に窓用の開口部を設け、前記開口部に設置される展望用エレベータの展望窓において、前記展望窓の窓枠が、前記開口部を囲む側板に取り付けられる一対の第１枠と、前記側板に取り付けられ前記第１枠の両端面がそれぞれ当接しコ字形断面を有する一対の第２枠と、からなり、少なくとも前記第２枠の一方は、前記側板に対して前記第１枠の長手方向に変位可能に取り付けられ、前記第１枠に対する前記第２枠の相対位置を調整することで前記窓枠のコーナ部の継ぎ目に生じる隙間を解消する調整手段を備えることを特徴とするものである。
【手続補正２】
【補正対象書類名】特許請求の範囲
【補正対象項目名】請求項１
【補正方法】変更
【補正の内容】
【請求項１】
乗りかごの側面に窓用の開口部を設け、前記開口部に設置される展望用エレベータの展望窓において、
前記展望窓の窓枠が、前記開口部を囲む側板に取り付けられる一対の第１枠と、前記側板に取り付けられ前記第１枠の両端面がそれぞれ当接しコ字形断面を有する一対の第２枠と、からなり、少なくとも前記第２枠の一方は、前記側板に対して前記第１枠の長手方向に変位可能に取り付けられ、前記第１枠に対する前記第２枠の相対位置を調整することで前記窓枠のコーナ部の継ぎ目に生じる隙間を解消する調整手段を備えることを特徴とする展望用エレベータの展望窓。
【手続補正書】
【提出日】平成28年4月5日(2016.4.5)
【手続補正１】
【補正対象書類名】明細書
【補正対象項目名】０００８
【補正方法】変更
【補正の内容】
【０００８】
前記の目的を達成するために、本発明は、乗りかごの側面に窓用の開口部を設け、前記開口部に設置される展望用エレベータの展望窓において、前記展望窓の窓枠が、前記開口部を囲む側板に取り付けられる一対の第１枠と、前記側板に取り付けられコ字形断面を有する一対の第２枠と、前記第１枠の端面が前記第２枠に突き当たり前記第１枠と第２枠の間に継ぎ目をなす窓枠のコーナ部と、を有し、少なくとも前記第２枠の一方は、前記第１枠の長手方向に変位可能に前記側板に対して取り付けられ、前記第１枠の位置を調整することで前記コーナ部の継ぎ目に生じる隙間を解消する調整手段を備えることを特徴とするものである。
【手続補正２】
【補正対象書類名】特許請求の範囲
【補正対象項目名】請求項１
【補正方法】変更
【補正の内容】
【請求項１】
乗りかごの側面に窓用の開口部を設け、前記開口部に設置される展望用エレベータの展望窓において、
前記展望窓の窓枠が、前記開口部を囲む側板に取り付けられる一対の第１枠と、前記側板に取り付けられコ字形断面を有する一対の第２枠と、前記第１枠の端面が前記第２枠に突き当たり前記第１枠と第２枠の間に継ぎ目をなす窓枠のコーナ部と、を有し、
少なくとも前記第２枠の一方は、前記第１枠の長手方向に変位可能に前記側板に対して取り付けられ、前記第１枠の位置を調整することで前記コーナ部の継ぎ目に生じる隙間を解消する調整手段を備えることを特徴とする展望用エレベータの展望窓。